(57)【要約】【課題】着火時の異常音や振動燃焼の発生を防止する燃焼装置を提供する。【解決手段】石油ガス化バーナやガンタイプバーナやガスバーナ等の瞬間的に着火するバーナ１１と、該バーナ１１に給気管２０から給気した燃焼空気を供給する燃焼ファン１６と、前記バーナ１１の燃焼後の燃焼ガスは燃焼ファン１６の送風力で強制的に排気管２８から排気されるもので、前記燃焼ファン１６と給気管２０とを連通する給気ホース２１の内径Ａを、給気管２０及び排気管２８の内径Ｂ、Ｃより小径としたものである。【選択図】  図１
2016223652.tif 000002
【特許請求の範囲】
【請求項１】
石油ガス化バーナやガンタイプバーナやガスバーナ等の瞬間的に着火するバーナと、該バーナに給気管から給気した燃焼空気を供給する燃焼ファンと、前記バーナの燃焼後の燃焼ガスは燃焼ファンの送風力で強制的に排気管から排気されるものに於いて、前記燃焼ファンと給気管とを連通する給気ホースの内径を、給気管及び排気管の内径より小径とした事を特徴とする燃焼装置。
【請求項２】
前記給気ホースは、螺旋状に巻き回されて本体枠内の燃焼ファン近傍に収納されている事を特徴とする請求項１記載の燃焼装置。
【発明の詳細な説明】
【技術分野】
【０００１】
この発明は、石油ガス化バーナやガンタイプバーナ、ガスバーナ等の瞬間的に着火するバーナを有した温風暖房機や給湯機などの燃焼装置に関するものである。
【背景技術】
【０００２】
従来よりこの種のものに於いては、バーナと燃焼空気を供給する燃焼ファンとを結ぶ送風経路途中に、入り口と出口を段違いにしたエアーチャンバーを備えたことで、着火時の異常音及び振動燃焼を防止するものであった。（特許文献１参照）
【先行技術文献】
【特許文献】
【０００３】
【特許文献１】特開２００３−２６２３３１号公報
【発明の概要】
【発明が解決しようとする課題】
【０００４】
ところでこの従来のものでは、入り口と出口を段違いにしたエアーチャンバーの容積だけでは膨張圧力を吸収することは出来ず、結果的には出口から入った圧力上昇した空気は、全てが吸収されることなく、一部が入り口側から出て行くもので、異常音や振動燃焼が継続すると言う課題を有するものであった。
【課題を解決するための手段】
【０００５】
この発明は、上記課題を解決するために、特に請求項１ではその構成を、石油ガス化バーナやガンタイプバーナやガスバーナ等の瞬間的に着火するバーナと、該バーナに給気管から給気した燃焼空気を供給する燃焼ファンと、前記バーナの燃焼後の燃焼ガスは燃焼ファンの送風力で強制的に排気管から排気されるものに於いて、前記燃焼ファンと給気管とを連通する給気ホースの内径を、給気管及び排気管の内径より小径としたものである。
【０００６】
又請求項２によれば、前記給気ホースは、螺旋状に巻き回されて本体枠内の燃焼ファン近傍に収納されているものである。
【発明の効果】
【０００７】
以上のようにこの発明によれば、燃焼ファンと給気管を連通する給気ホースの内径を、給気管及び排気管の内径より小径としたことで、この給気ホース間は他の部分と比較して吸入空気の流速が早くなり、バーナの着火時の圧力上昇分が給気ホース内に流入しても、流速の早さと小径による圧力抵抗となって、圧力上昇分を十分に吸収することが出来、バーナの着火時に起こる異常音や振動燃焼を確実に防止出来、常に安心して使用出来るものである。
【０００８】
又請求項２によれば、前記給気ホースは、螺旋状に巻き回されて本体枠内の燃焼ファン近傍に収納されるので、小径の給気ホース部分を長くすることで容積が広がり、膨張圧力を更に良好に吸収出来ると共に、長い給気ホースを螺旋状に巻き回して収納するので、コンパクトに場所を取らずに本体枠内にスッキリと収納出来、器具の大型化を防止出来ると言う効果を有するものである。
【図面の簡単な説明】
【０００９】
【図１】この発明の一実施形態の燃焼装置を備えた潜熱回収型気化式給湯機を示す概略構成図。
【図２】同要部説明図。
【発明を実施するための形態】
【００１０】
次にこの発明の一実施形態の燃焼装置を備えた給湯機を図１に基づき説明する。
１は本実施形態の潜熱回収型気化式石油給湯機の本体枠、２は石油等の燃油を気化するアルミダイキャスト製の気化器で、気化器２底部には気化ガスの流出口３を有しているものである。
【００１１】
４は気化器２に備えられ燃油を気化可能な温度まで加熱する加熱用ヒータとしての気化器ヒータ、５は気化器２下部で流出口３と連通し気化器２で気化された気化ガスと一次空気とを予混合するアルミダイキャスト製の混合室、６は混合室５底部に設けられ混合室５を加熱して流出口３から流入してくる気化ガスの液化を防止し気化を促進する加熱用ヒータとしての混合室ヒータで、上述した気化器２と混合室５とで燃油を気化させる気化部７を形成するものである。
【００１２】
８は気化器２の温度を検出する気化温度センサ、９は混合室５の温度を検出する混合室温度センサ、１０は混合室５上部で気化器２の背面側に備えられ、混合室５で予混合された予混合ガスを燃焼させる燃焼部で、この燃焼部１０と気化部７とでバーナ１１を構成するものである。また、１２は気化器２と一体的に形成され、気化器２背面で燃焼部１０上に突出した複数個の吸熱フィンで、燃焼時には燃焼熱を気化熱として気化器２にフィードバックして、気化器ヒータ４の通電量を極力抑えるものである。
【００１３】
１３は気化器２に燃油を噴霧するノズル、１４はノズル１３に送油管１５を介して燃油を圧送する電磁ポンプ、１６は燃焼ファンで、送風路１７を介して気化器２の入口及び燃焼部１０とカバー枠１８との間の空気室１９とに連通し、給気管２０より給気し給気ホース２１を介して搬送された燃焼空気を、気化器２には予混合用の一次空気として供給し、空気室１９には気化器２側方を通り混合室５の下方から燃焼部１０で燃焼される二次空気として供給するものである。
【００１４】
２２は燃焼室２３内に収容された熱交換器で、この熱交換器２２は、バーナ１１の燃焼により発生した燃焼ガスから顕熱を回収し一次受熱管２４を流通する水を加熱するフィンチューブ式の一次熱交換器２５と、一次熱交換器２５を通過した後の燃焼ガスから潜熱を回収し二次受熱管２６を流通する水を加熱する二次熱交換器２７とから構成され、バーナ１１の上方に一次熱交換器２５が配置され、一次熱交換器２５の上方に二次熱交換器２７が配置されているものであり、一次熱交換器２５、二次熱交換器２７の順に通過した燃焼ガスは排気管２８より器具外に排気されるものである。
【００１５】
２９は燃焼ガス中の水蒸気が二次熱交換器２７の二次受熱管２６を流通する水と熱交換して露点以下の温度となることにより生成されるドレンを回収するドレン受けで、ドレン受け２９は、一次熱交換器２５の上方且つ二次熱交換器２７の下方に配置されているものであり、ここでは、二次熱交換器２７を構成する耐食性を有する筐体（図示せず）の底板がドレン受け２９となっているものであり、燃焼室２３内は一次熱交換器２５と二次熱交換器２７とドレン受け２９の３部品が配置され、排気管２８までの排気経路の流通抵抗が一次熱交換器２５のみの従来の給湯機より高くなっているものである。３０はドレン受け２９で回収されたドレンを中和装置３１に導くドレン配管である。
【００１６】
又前記給気ホース２１の内径Ａは、給気管２０の内径Ｂと排気管２８の内径Ｃと比較すると小径で、ここでは給気管２０と排気管２８の内径Ｂ、Ｃがともに５０ｍｍに対して、給気ホース２１の内径Ａは４０ｍｍと小径としたことで、この給気ホース２１を通過する燃焼空気の流速が他の部分より早くなり、バーナ１１の着火時に発生する爆発燃焼による圧力上昇が給気ホース２１に伝わるが、この燃焼空気の早い流れと、螺旋状に巻き回された６５０ｍｍの長さの容積確保で圧力上昇分を吸収して、着火時の異常音や脈動燃焼を防止するものであり、更に長い給気ホース２１でも螺旋状に巻き回したので、コンパクトに収納出来、器具を大型にする必要がなく、良好に使用できるものである。
【００１７】
３２は給水源から供給される水を熱交換器２２に流通させる給水管、３３は熱交換器２２で加熱された湯を流通させ、所定箇所に設けられた給湯栓（図示せず）に湯を供給する給湯管、３４は給水管３２から分岐した給水バイパス管であり、一次受熱管２４と二次受熱管２６と給水管３２と給湯管３３と給水バイパス管３４とで水が流通する給湯回路を構成するものである。
３５は給湯管３３と給水バイパス管３４との接続部に設けられ、給湯管３３からの湯と給水バイパス管３４からの水とを混合し、その混合比を可変できる混合弁である。
【００１８】
次に、この一実施形態の潜熱回収型気化式石油給湯機の動作について説明する。
前記リモコン（図示せず）の運転スイッチ（図示せず）がオンされると、気化温度センサ８の検出する温度に基づき気化器ヒータ４を制御すると共に、混合室温度センサ９の検出する温度に基づき混合室ヒータ６を制御し、気化器２および混合室５の予熱を行い、気化器２が燃油を気化可能な温度、例えば気化器２の温度が２２０℃〜２５０℃に維持され、混合室５の温度が１２５℃〜１３０℃に維持されるスタンバイ状態となる。このスタンバイ状態では、燃焼要求が発生した場合には素早くバーナ１１を着火出来、必要最低限の温度を維持することでスタンバイ時の消費電力を低減することが出来るものである。
【００１９】
前記スタンバイ状態において、給湯栓が開栓され、給湯が開始されて燃焼要求が発生すると、気化器ヒータ４および混合室ヒータ６を強制的にオンして着火性を良くし、電磁ポンプ１４および燃焼ファン１６を駆動させて、気化器２で気化された気化ガスと一次空気とを混合室５で予混合し、予混合ガスを燃焼部１０より噴出して燃焼を開始させるものである。
【００２０】
そして、この燃焼開始の着火時に、気化した燃料が一気に燃焼する爆発的な着火となって、バーナ１１での圧力上昇分が流通抵抗が高い排気側ではなく、燃焼空気経路を逆流することとなり、給気ホース２１に伝わるが、この給気ホース２１は小径で燃焼空気の流速が早くなっているのと、螺旋状に巻き回された６５０ｍｍの長さの容積確保との効果で圧力上昇分を吸収して、着火時の異常音や脈動燃焼を防止するものであり、更に長い給気ホース２１でも螺旋状に巻き回したので、コンパクトに収納出来、器具を大型にする必要がなく、良好に使用できると言う効果を有するものである。
【００２１】
次にバーナ１１の燃焼により発生した燃焼ガスは、一次熱交換器２５を流通し、一次熱交換器２５を通過した後、二次熱交換器２７を流通し、二次熱交換器２７を通過した後、排気管２８から潜熱回収型気化式石油給湯機外へ排出されるものである。また、給水源から供給された水は、給水管３２から二次受熱管２６に導かれ、二次受熱管２６から一次受熱管２４へ順に流通して、ここで燃焼ガスとの熱交換により加熱され、そして、一次受熱管２４から給湯管３３へ導かれ、混合弁３５の開度調整によって給湯設定温度に温調された湯が最終的に給湯栓から給湯されるものである。
【００２２】
この時、二次熱交換器２７において、二次受熱管２６を流通する水と燃焼ガスとが熱交換され、燃焼ガス中の水蒸気が露点以下となることにより生成されたドレンはドレン受け２９で回収され、ドレン配管３０を介して、内部に中和剤が充填された中和装置３１に流入し、中和装置３１内で中和処理された後、中和装置３１外に排出され、所定箇所の下水に排水されるものである。
【符号の説明】
【００２３】
１  本体枠
２  気化器
４  気化器ヒータ
５  混合室
６  混合室ヒータ
７  気化部
１０  燃焼部
１１  バーナ
１６  燃焼ファン
２０  給気管
２１  給気ホース
２８  排気管
【図１】
2016223652.tif 000003
【図２】
2016223652.tif 000004